(57)【要約】【課題】外部からの電力供給が途絶えても、欠落部分を生じさせずに映像コンテンツを録画する。【解決手段】録画装置１０は、上記映像コンテンツを表す第１の映像データを録画する第１の録画手段と、二次電池によって駆動され、上記映像コンテンツを表す第２の映像データを録画する第２の録画手段と、制御手段と、異常検知手段とを備え、商用電源の異常が検知されたときに、上記第２の録画手段による録画方式をループ録画から通常録画に切り替える。【選択図】図１
2013118601.tif 000002
【特許請求の範囲】
【請求項１】
ストリームデータとして伝送される映像コンテンツを録画する録画装置において、
商用電源によって駆動され、上記映像コンテンツを表す第１の映像データを録画する第１の録画手段と、
二次電池によって駆動され、上記映像コンテンツを表す第２の映像データであって、上記第１の映像データに比べて低画質の映像データを録画する第２の録画手段と、
上記第１および第２の録画手段を制御する制御手段と、
上記商用電源の異常を検知する異常検知手段と、
を備え、
上記制御手段は、上記異常検知手段が上記商用電源の異常を検知したときに、上記第１の録画手段を停止させると共に、上記第２の録画手段による録画方式を、ループ録画から通常録画に切り替える、
ことを特徴とする録画装置。
【請求項２】
上記制御手段が上記第１の録画手段を停止させた停止タイミングよりも前であって、かつ、当該停止タイミングに最も近いタイムスタンプを有する上記第２の映像データ中のキーフレームを上記第２の映像データの復号開始点として特定する復号開始点特定手段と、
上記復号開始点から上記第２の映像データの復号を行う復号手段と、
を更に備えていることを特徴とする請求項１に記載の録画装置。
【請求項３】
上記復号手段によって復号された第２の映像データにおいて上記第１の映像データ中のタイムスタンプと同期がとれたフレームから、再生対象の映像データを上記第１の映像データから上記第２の映像データに切り替える再生手段を更に備える、
ことを特徴とする請求項２に記載の録画装置。
【請求項４】
上記復号手段によって復号された第２の映像データにおいて上記第１の映像データ中のタイムスタンプと同期がとれたフレームを境界フレームとして、上記第１の映像データと上記第２の映像データとを統合する統合手段を更に備える、
ことを特徴とする請求項２に記載の録画装置。
【請求項５】
上記制御手段は、上記異常検知手段によって上記商用電源の異常が検知されなくなったときに、上記第１の録画手段を起動すると共に、上記第１の録画手段が起動した時点から所定の期間経過後に、上記第２の録画手段による録画方式を、通常録画からループ録画に切り替える、
ことを特徴とする請求項１に記載の録画装置。
【請求項６】
上記制御手段が上記第１の録画手段を停止させた停止タイミングよりも前であって、かつ、当該停止タイミングに最も近いタイムスタンプを有する上記第２の映像データ中のキーフレームを上記第２の映像データの復号開始点として特定すると共に、上記制御手段が上記第１の録画手段を起動させた起動タイミングよりも後であって、かつ、上記所定の期間内のタイムスタンプを有する上記第１の映像データ中のキーフレームを上記第１の映像データの復号開始点として特定する復号開始点特定手段と、
上記第２の映像データの復号開始点から上記第２の映像データの復号を行い、上記第１の映像データの復号開始点から上記第１の映像データの復号を行う復号手段と、
を更に備えていることを特徴とする請求項５に記載の録画装置。
【請求項７】
上記復号手段によって復号された第２の映像データにおいて上記第１の映像データ中のタイムスタンプと同期がとれたフレームから、再生対象の映像データを上記第１の映像データから上記第２の映像データに切り替え、上記復号手段によって復号された第１の映像データにおいて上記第２の映像データ中のタイムスタンプと同期がとれたフレームから、再生対象の映像データを上記第２の映像データから上記第１の映像データに切り替える再生手段を更に備える、
ことを特徴とする請求項６に記載の録画装置。
【請求項８】
上記復号手段によって復号された第２の映像データにおいて上記第１の映像データ中のタイムスタンプと同期がとれたフレームを第１の境界フレームとし、かつ、上記復号手段によって復号された第１の映像データにおいて上記第２の映像データ中のタイムスタンプと同期がとれたフレームを第２の境界フレームとして、上記第１の映像データと上記第２の映像データとを統合する統合手段を更に備える、
ことを特徴とする請求項６に記載の録画装置。
【請求項９】
請求項１から８の何れか１項に記載の録画装置を備えている、
ことを特徴とするテレビジョン受像機。
【請求項１０】
ストリームデータとして伝送される映像コンテンツを録画する録画装置であって、商用電源によって駆動され、上記映像コンテンツを表す第１の映像データを録画する第１の録画手段と、二次電池によって駆動され、上記映像コンテンツを表す第２の映像データであって、上記第１の映像データに比べて低画質の映像データを録画する第２の録画手段と、
を備えた録画装置の制御方法であって、
上記商用電源の異常を検知する異常検知工程と、
上記異常検知工程にて、上記商用電源の異常を検知したときに、上記第１の録画手段を停止させると共に、上記第２の録画手段による録画方式を、ループ録画から通常録画に切り替える制御工程を含んでいる、
ことを特徴とする録画装置の制御方法。
【請求項１１】
請求項１から８のいずれか１項に記載の録画装置が備えている各手段としてコンピュータを動作させるためプログラム。
【請求項１２】
請求項１１に記載のプログラムを記録したコンピュータ読み取り可能な記録媒体。
【発明の詳細な説明】
【技術分野】
【０００１】
本発明は、放送波によって伝送される映像コンテンツを記録する録画装置に関する。
【背景技術】
【０００２】
テレビジョン放送に代表される映像音声データ（以下では、単に映像データと呼ぶ）を録画記録するための記録装置として、ＨＤ（hard disk）レコーダー、ＤＶＤレコーダーおよびＢＤ（Blu-ray disk）レコーダーが普及している。これらの記録装置は、外部電源である商用電源（日本においては交流１００Ｖ）によって駆動される。したがって、外部電源が停電状態に陥った場合、記録装置は動作するために必要な電力を失う。すなわち、記録装置の主要な機能を失う。
【０００３】
したがって、映像データを記録している最中に、外部電源が停電状態になれば、その映像データの記録を続けることはできない。また、録画予約をしている場合においても、その時間帯に停電が発生していると、映像データの記録を開始することができない。
【０００４】
特許文献１には、バッテリ（二次電池）を備えるテレビジョン放送受信装置が記載されている。特許文献１に記載のテレビジョン放送受信装置は、録画手段への電力供給に異常があると判定した場合、電力供給を商用電源からバッテリに切り替える。
【０００５】
電力供給に異常がある場合、たとえば停電が発生している場合、特許文献１に係るテレビジョン放送受信装置はバッテリから供給される電力によって駆動される。このため、停電が長時間におよぶ場合、当該テレビジョン放送受信装置は長時間の記録を続けることができない。長時間の停電に対応するために、テレビジョン放送受信装置が備えるバッテリの容量を大容量化することも考えられる。しかし、この場合はバッテリの容積および質量と、バッテリのコストとが増大する。したがって、バッテリを大容量化することは、汎用の記録装置として非現実的である。
【０００６】
特許文献２には、無線ＬＡＮ通信部を備える録画装置と、無線ＬＡＮ通信部を備える携帯端末とを含み、録画装置および携帯端末のいずれか一方の装置を録画元とし、もう一方の装置をバックアップ録画先とする構成が記載されている。
【０００７】
特許文献２に係る録画装置では、録画元およびバックアップ録画先を構成するために、複数台の録画装置を用意する必要がある。さらに、複数の録画装置間において情報通信を可能にするために、各録画装置は無線ＬＡＮ部を備える必要がある。したがって、特許文献２に係る録画装置を実現するためには、コストが増大する。
【０００８】
特許文献３には、１セグチューナ、フラッシュメモリおよびバッテリを備える記録再生装置が記載されている。録画中に停電が発生した場合、制御部は電源を電源部からバッテリに切り替え、更に１セグデコーダＩＣ、フラッシュメモリ、１セグチューナを稼動させ、１セグチューナにて１セグ放送を受信し、１セグデコーダＩＣにて映像データを復号化してフラッシュメモリ６に録画するよう指示する。１セグデコーダＩＣは、該指示に従い１セグチューナより受信する１セグ放送をフラッシュメモリへ録画する。
【先行技術文献】
【特許文献】
【０００９】
【特許文献１】特開２００７−１８０６０１号公報（２００７年７月１２日公開）
【特許文献２】特開２００８−２１９７２５号公報（２００８年９月１８日公開）
【特許文献３】特開２００８−１４１６３６号公報（２００８年６月１９日公開）
【発明の概要】
【発明が解決しようとする課題】
【００１０】
特許文献３に係る記録再生装置において、電源部からの電源の供給の停止を停電検出部が検出した後、１セグデコーダＩＣは、１セグチューナにて受信した１セグ放送をフラッシュメモリへ録画する。したがって、停電が発生してから、１セグデコーダＩＣが１セグ放送をフラッシュメモリへ録画するまでの間にタイムラグが生じる可能性が高い。タイムラグが生じると、タイムラグ中に放送された映像データは記録されずに失われるという問題が生じる。
【００１１】
本発明は、上記の課題を解決するためになされたものであり、その主たる目的は、コストを抑制しつつ、外部電力の供給が途絶える等の異常が発生した場合においても、映像データを失うことなく録画可能な録画装置を実現することにある。
【課題を解決するための手段】
【００１２】
上記の課題を解決するため、本発明に係る録画装置は、ストリームデータとして伝送される映像コンテンツを録画する録画装置において、商用電源によって駆動され、上記映像コンテンツを表す第１の映像データを録画する第１の録画手段と、二次電池によって駆動され、上記映像コンテンツを表す第２の映像データであって、上記第１の映像データに比べて低画質の映像データを録画する第２の録画手段と、上記第１および第２の録画手段を制御する制御手段と、上記商用電源の異常を検知する異常検知手段と、を備え、上記制御手段は、上記異常検知手段が上記商用電源の異常を検知したときに、上記第１の録画手段を停止させると共に、上記第２の録画手段による録画方式を、ループ録画から通常録画に切り替えることを特徴としている。
【００１３】
上記のように構成された録画装置によれば、異常検出手段が商用電源の異常を検出しない際（以下、正常状態と称する）、第１の録画手段は第１の映像データを録画すると共に、第２の録画手段は第２の映像データをループ録画する。
【００１４】
ループ録画とは、受け取った映像データを、所定のサイズまたは所定の期間毎に上書き録画する録画方法のことを意味する。正常状態における録画方法として、第２の録画手段がループ録画を採用していることによって、同一の映像コンテンツを複数の映像データに録画しつつ、第２の映像データを録画するために確保する記憶領域のサイズを抑制することができる。このように、第２の映像データを録画するための記憶領域として過大のサイズを必要としないので、コストが抑制される。
【００１５】
一方、異常検出手段が商用電源の異常を検出すると（以下において、異常状態と称する）、制御手段は、第１の録画手段による録画を停止させるとともに、第２の録画手段による録画をループ録画から通常録画へ切り替えるように制御する。通常録画とは、記憶領域に、受け取った映像データを上書きすることなく録画する通常の態様の録画方法のことを意味する。
【００１６】
第２の映像データは、通常録画されている期間に加えて、ループ録画されている期間（以下、ループ録画期間と称する）を有しており、当該ループ録画期間は、第１の映像データと重複している。
【００１７】
したがって、本願発明の一態様に係る録画装置は、外部電力の供給が途絶える等の異常が発生した場合においても、コストを抑制しつつ、ストリームデータとして伝送される映像コンテンツを、欠落部分を生じさせることなく録画することができる。
【００１８】
また、本発明に係る録画装置の制御方法は、ストリームデータとして伝送される映像コンテンツを録画する録画装置であって、商用電源によって駆動され、上記映像コンテンツを表す第１の映像データを録画する第１の録画手段と、二次電池によって駆動され、上記映像コンテンツを表す第２の映像データであって、上記第１の映像データに比べて低画質の映像データを録画する第２の録画手段と、を備えた録画装置の制御方法であって、上記商用電源の異常を検知する異常検知工程と、上記異常検知工程にて、上記商用電源の異常を検知したときに、上記第１の録画手段を停止させると共に、上記第２の録画手段による録画方式を、ループ録画から通常録画に切り替える制御工程を含んでいる、ことを特徴としている。
【００１９】
上記のように構成された制御方法によれば、上記録画装置と同様の効果を奏する。
【００２０】
また、本発明の一態様に係る録画装置は、
上記制御手段が上記第１の録画手段を停止させた停止タイミングよりも前であって、かつ、当該停止タイミングに最も近いタイムスタンプを有する上記第２の映像データ中のキーフレームを上記第２の映像データの復号開始点として特定する復号開始点特定手段と、上記復号開始点から上記第２の映像データの復号を行う復号手段と、を更に備えていることがより好ましい。
【００２１】
上記の構成によれば、復号開始点特定手段は、第２の映像データにおいて、第１の映像データと重複する期間であるループ録画期間のうち、停止タイミングに最も近いタイムスタンプを有するキーフレームを復号開始点として特定する。複合手段は、復号開始点と特定されたキーフレームから第２の映像データの復号を行う。したがって、第１の映像データを停止タイミングの直近のタイミングまで再生することができる。すなわち、第１の映像データが再生対象となる期間がより長くなる。
【００２２】
また、本発明の一態様に係る録画装置は、
上記復号手段によって復号された第２の映像データにおいて上記第１の映像データ中のタイムスタンプと同期がとれたフレームから、再生対象の映像データを上記第１の映像データから上記第２の映像データに切り替える再生手段を更に備える、ことがより好ましい。
【００２３】
上記の構成によれば、再生手段は、所定のフレームにおいて、再生対象の映像データを第１の映像データから第２の映像データに切り替える。当該所定のフレームとは、復号された第２の映像データのタイムスタンプ、および、第１の映像データのタイムスタンプにおいて、互いに同期がとれたフレームである。再生手段は、上記所定のフレームにおいて再生対象の映像データを切り替えることによって、録画されている複数の映像データに欠落部分を生じさせることなく再生することができる。
【００２４】
また、本発明の一態様に係る録画装置は、
上記復号手段によって復号された第２の映像データにおいて上記第１の映像データ中のタイムスタンプと同期がとれたフレームを境界フレームとして、上記第１の映像データと上記第２の映像データとを統合する統合手段を更に備える、ことがより好ましい。
【００２５】
上記の構成によれば、統合手段は、上記所定のフレームである境界フレームにおいて第１の映像データと、第２の映像データとを統合する。したがって、統合手段は、録画されている映像データに欠落部分を生じさせることなく、複数の映像データを統合することができる。
【００２６】
また、本発明の一態様に係る録画装置は、上記制御手段は、上記異常検知手段によって上記商用電源の異常が検知されなくなったときに、上記第１の録画手段を起動すると共に、上記第１の録画手段が起動した時点から所定の期間経過後に、上記第２の録画手段による録画方式を、通常録画からループ録画に切り替える、ことがより好ましい。
【００２７】
上記の構成によれば、商用電源が正常状態に復旧するとともに、第１の映像手段は第１の映像データを録画する。また、第１の録画手段が起動してから所定の期間は、第２の録画手段が第２の映像データを通常録画している。すなわち、第１の映像データと、第２の映像データとが重複している。本願発明の一態様に係る録画装置は、外部電力の供給が復旧した場合においても、ストリームデータとして伝送される映像コンテンツを、欠落部分を生じさせることなく録画することができる。
【００２８】
さらに、第２の録画手段は、第１の録画手段が起動してから所定の期間後に通常録画からループ録画に切り替えられるように制御される。したがって、本願発明の一態様に係る録画装置は、商用電源に再び異常が生じる場合に備えることができる。
【００２９】
また、本発明の一態様に係る録画装置は、上記制御手段が上記第１の録画手段を停止させた停止タイミングよりも前であって、かつ、当該停止タイミングに最も近いタイムスタンプを有する上記第２の映像データ中のキーフレームを上記第２の映像データの復号開始点として特定すると共に、上記制御手段が上記第１の録画手段を起動させた起動タイミングよりも後であって、かつ、上記所定の期間内のタイムスタンプを有する上記第１の映像データ中のキーフレームを上記第１の映像データの復号開始点として特定する復号開始点特定手段と、上記第２の映像データの復号開始点から上記第２の映像データの復号を行い、上記第１の映像データの復号開始点から上記第１の映像データの復号を行う復号手段と、を更に備えていることがより好ましい。
【００３０】
上記の構成によれば、復号開始点特定手段は、第２の映像データにおいて、第１の映像データと重複する期間であるループ録画期間のうち、停止タイミングに最も近いタイムスタンプを有するキーフレームを復号開始点として特定する。したがって、第１の映像データを停止タイミングの直近のタイミングまで再生することができる。
【００３１】
また、復号開始点特定手段は、第１の映像データにおいて、第２の映像データと重複する期間のタイムスタンプを有するキーフレームを復号開始点として特定する。したがって、起動タイミングと、第１の映像データの録画を開始するタイミングとの間にタイムラグがある場合でも、復号手段は、復号開始点から確実に復号を開始することができる。
【００３２】
また、本発明の一態様に係る録画装置は、上記復号手段によって復号された第２の映像データにおいて上記第１の映像データ中のタイムスタンプと同期がとれたフレームから、再生対象の映像データを上記第１の映像データから上記第２の映像データに切り替え、上記復号手段によって復号された第１の映像データにおいて上記第２の映像データ中のタイムスタンプと同期がとれたフレームから、再生対象の映像データを上記第２の映像データから上記第１の映像データに切り替える再生手段を更に備える、ことがより好ましい。
【００３３】
上記の構成によれば、再生手段は、復号された第２の映像データにおいて上記第１の映像データ中のタイムスタンプと同期がとれたフレームから、再生対象の映像データを上記第１の映像データから上記第２の映像データに切り替える。さらに、再生手段は、復号された第１の映像データにおいて上記第２の映像データ中のタイムスタンプと同期がとれたフレームから、再生対象の映像データを上記第２の映像データから上記第１の映像データに切り替える。したがって、再生手段は、録画されている複数の映像データに欠落部分を生じさせることなく再生することができる。
【００３４】
また、本発明の一態様に係る録画装置は、上記復号手段によって復号された第２の映像データにおいて上記第１の映像データ中のタイムスタンプと同期がとれたフレームを第１の境界フレームとし、かつ、上記復号手段によって復号された第１の映像データにおいて上記第２の映像データ中のタイムスタンプと同期がとれたフレームを第２の境界フレームとして、上記第１の映像データと上記第２の映像データとを統合する統合手段を更に備える、ことがより好ましい。
【００３５】
上記の構成によれば、統合手段は、第１の境界フレームおよび第２の境界フレームを各映像データの境界として、第１の映像データおよび第２の映像データを統合する。したがって、統合手段は、録画されている映像データに欠落部分を生じさせることなく、複数の映像データを統合することができる。
【００３６】
また、本発明の一態様に係るテレビジョン受像器は、本発明の一態様に係る録画装置を備えている、ことがより好ましい。
【００３７】
上記のように構成されたテレビジョン受像器は、本発明の一態様に係る録画装置を備えている。よって、外部電力の供給が途絶える等の異常が発生した場合においても、ストリームデータとして伝送される映像コンテンツを、欠落部分を生じさせることなく録画することができる。
【００３８】
また、本発明の一態様に係る録画装置が備えている各手段としてコンピュータを動作させるためのプログラム、および、それらのプログラムを記録したコンピュータ読み取り可能な記録媒体についても本発明の範疇に含まれる。
【発明の効果】
【００３９】
本発明の一態様に係る録画装置は、コストを抑制しつつ、外部から電力が供給されない状況においても、ストリームデータとして伝送される映像コンテンツを欠落部分が生じることなく録画することに効果を奏する。
【図面の簡単な説明】
【００４０】
【図１】本発明の一実施形態に係る録画装置の構成を示すブロック図である。
【図２】本発明の一実施形態に係る録画装置における映像データの録画方法を示すフローチャートである。
【図３】本発明の一実施形態に係る録画装置が表示する確認画面の一例を示す図である。
【図４】本発明の一実施形態に係る録画装置が録画した映像データの概念図である。
【図５】本発明の一実施形態に係る録画装置の動作を説明するための図であって、（ａ）は第１の映像データから第２の映像データに切り替えるタイミングの概略を表しており、（ｂ）は第２の映像データから第１の映像データに切り替えるタイミングの概略を示している。
【図６】本発明の一実施形態に係る録画装置における映像データの再生方法を示すフローチャートである。
【図７】本発明の一実施形態に係る録画装置が表示する確認画面の一例を示す図である。
【発明を実施するための形態】
【００４１】
（録画装置１０の概要）
本発明の一実施形態に係る録画装置１０について、図１を参照しながら説明する。録画装置１０は、ストリームデータとして伝送される映像コンテンツを録画するための録画装置である。ストリームデータとして伝送される映像コンテンツとは、例えば、デジタル放送信号によって伝送されるテレビジョン番組である。
【００４２】
デジタル放送信号によって伝送されるテレビジョン番組は、同一の番組を、異なる品質の映像音声データで放送している。たとえばハイビジョン放送は、ストリームデータ伝送に１２セグメントを使用し、高品質な映像音声データをユーザに提供する。一方、１セグ放送は、ストリームデータ伝送に１セグメントを使用し、低品質な映像音声データをユーザに提供する。言い換えると、デジタル放送信号において、同一の映像コンテンツが、高品質な映像音声データによっても表されるし、低品質な映像音声データによっても表される。
【００４３】
低品質な映像音声データは、低品質である反面、データ容量が少ない。そのため、低品質な映像音声データは、高品質な映像音声データに対して、簡易な装置を用いてストリームデータを受信する受信処理、録画する録画処理、および、再生する再生処理を行うことができるという特徴を有する。
【００４４】
録画装置１０は、１つの映像コンテンツを、高品質な映像音声データとして録画するとともに、低品質な映像音声データとして録画する。
【００４５】
（録画装置１０の構成）
図１に示すように録画装置１０は、高画質放送受信・録画部１１、記録部１２、省電力放送受信・録画部１３、メモリ１４、制御部１５、異常検出部１６、交流／直流変換部１７、二次電池１８、復号部１９、再生部２０、統合部２１、映像処理部２２、ＯＳＤ（on screen display）処理部２３、および、赤外線受光部４０を備えている。
【００４６】
（電源）
録画装置１０は、商用電源５０から電力を供給されることによって動作する。商用電源５０とは、電力会社から各家庭、または、各事業者に供給されている電源である。
【００４７】
商用電源５０が正常に機能している状態において、録画装置１０が備える交流／直流変換部１７は、商用電源５０から交流電流を供給されている。交流／直流変換部１７は、当該交流電流を、所定の電圧値を有する直流電流に変換する。当該所定の電圧値は、単一の電圧値でもよく、複数の電圧値でもよい。たとえば、交流／直流変換部１７は、２つの出力系統を備え、一方の出力系統は５Ｖを出力し、もう一方の出力系統は１２Ｖを出力する構成としてもよい。
【００４８】
交流／直流変換部１７は、上記の直流電流を、高画質放送受信・録画部１１、省電力放送受信・録画部１３、および、制御部１５に供給する。
【００４９】
このように、商用電源５０から電力が供給されている間、高画質放送受信・録画部１１、省電力放送受信・録画部１３、および、制御部１５は、交流／直流変換部１７から供給される直流電流によって駆動されている。
【００５０】
交流／直流変換部１７は、省電力放送受信・録画部１３、および、制御部１５に加えて二次電池１８にも直流電流を供給することができる。したがって、二次電池１８の充電状態に応じて、必要があれば二次電池１８を充電することができる。二次電池１８には、１８６５０型Ｌｉイオン充電池を用いることが好ましい。１８６５０型Ｌｉイオン充電池は、ノートパソコン用の二次電池をはじめとして広く普及している。よって、二次電池１８のコストを抑制することができる。また、二次電池１８として、Ｎｉ−ＭＨ充電池を用いてもよい。
（異常検出部１６）
何らかの理由によって商用電源５０に異常が生じると、異常検出部１６は当該異常を検知する。たとえば、異常検出部１６は、商用電源５０から供給される交流電流の電圧値（Ｖｉｎと表記する）を測定するように構成されている。
【００５１】
異常検出部１６は、Ｖｉｎと参照電圧（Ｖｒｅｆと称する）の範囲とを比較し、Ｖｉｎが異常な値であるか否か、すなわち、商用電源５０に異常が生じているか否かを判定する。
【００５２】
Ｖｒｅｆの範囲は、録画装置１０の設計段階において、直流／交流変換部１７の仕様に応じて適宜設定されている。たとえば、直流／交流変換部１７が定格電圧（Ｖｒｅｇと称する）に対して１０％の変動を許容できるならば、Ｖｒｅｆの範囲を、０．９×Ｖｒｅｇ＜Ｖｒｅｆ＜１．１×Ｖｒｅｇと定義すればよい。
【００５３】
異常検出部１６は、Ｖｒｅｆの範囲を記憶しておくために、たとえばＲＯＭ(read only memory)を備えていてもよい。
【００５４】
異常検出部１６は、ＶｉｎとＶｒｅｆとを比較して、（１）ＶｉｎがＶｒｅｆの範囲に含まれている際に、商用電源５０は正常であると判定し、（２）ＶｉｎがＶｒｅｆの範囲に含まれない際に、商用電源５０は異常であると判定する。
【００５５】
異常検出部１６が、Ｖｉｎを測定する頻度は任意である。しかし、商用電源５０に異常が生じた場合に、迅速にその異常を検知するという観点からは、サンプリング間隔が短いことがより望ましい。
【００５６】
商用電源５０の異常は、さまざまな要因によって発生する。当該要因の例として、自然災害を原因とする停電、電力事業者からの要請による計画停電、落雷を原因とするサージ電圧、過電流により家庭内のブレーカーが落ちる、および、誤って録画装置１０のコンセントが抜いてしまう、などが挙げられる。上述のように、ブレーカーが落ちる、または、コンセントが抜けるなどの場合、実際には商用電源５０自体に異常は生じていない。しかし、本願明細書においては、録画装置１０に所定の電力が供給されないことを、商用電源５０の異常と総称する。
【００５７】
商用電源５０が録画装置１０へ電力を供給することが停止された場合、二次電池１８が省電力放送受信・録画部１３に電力を供給する。このことによって、商用電源５０に異常が生じている最中においても、録画装置１０は映像コンテンツの録画を継続することができる。録画装置１０による映像コンテンツの録画方法については後述する。
【００５８】
異常検出部１６が商用電源５０の異常を検知した際に、二次電池１８は、省電力放送受信・録画部１３だけでなく、高画質放送受信・録画部１１に対して電力を供給しても良い。
【００５９】
商用電源５０の異常が検知された場合、高画質放送受信・録画部１１は、第１の映像データの録画を安全に停止することが好ましい。一般的に、ＨＤ、ＢＤおよびＤＶＤなどの記録媒体に記録している最中に、装置の電源が失われると、その時に記録していたデータの内容が破壊される虞がある。または、データを正しく読み出すことができなくなる虞がある。
【００６０】
したがって、記録媒体への書き込みが終了し、データファイルが正しくクローズされ、トラックナンバーまたはファイル名称が与えられるまでの間、高画質放送受信・録画部１１に電力が供給されることによって、映像データが破壊される、または、正しく読み出すことができなくなる危険性を解消することができる。
【００６１】
（アンテナ３０）
高画質放送受信・録画部１１（第１の録画手段）、および、省電力放送受信・録画部１３（第２の録画手段）には、デジタル放送信号を受信するためのアンテナ３０が接続されている。アンテナ３０は、フルセグメントチューナーおよび１セグメントチューナーに対応するデジタル放送信号を受信し、それぞれの放送信号に含まれるストリームデータを、高画質放送受信・録画部１１および省電力放送受信・録画部１３に供給する。ここでストリームデータとは、たとえば、ＭＰＥＧ２ストリーム、または、ＭＰＥＧ４ストリームである。
【００６２】
録画装置１０は、１セグメントチューナーに対応したデジタル放送を受信するために、アンテナ３０とは別個の１セグメントチューナー用アンテナ（図示せず）を備えていても良い。
【００６３】
（高画質放送受信・録画部１１）
高画質放送受信・録画部１１は、映像コンテンツを高画質および高音質な映像音声データ（以下、単に映像データと呼ぶ）として録画可能な構成を備えている。高画質放送受信・録画部１１は、たとえば、ハイビジョン放送に対応するフルセグメントチューナーと、記憶部１２とを備えている。
【００６４】
記憶部１２は、フルセグメントチューナーから供給されるストリームデータを記録媒体に記録する。フルセグメントチューナーから供給されるストリームデータは容量が大きい。したがって、記録媒体の記録容量は大きいことがより好ましい。この記録媒体としては、ＨＤ(harddisk)がより好ましく、ＢＤ(blu-ray disk)、または、ＤＶＤであってもよい。以下において、高画質放送受信・録画部１１において録画される高画質および高音質な映像データを第１の映像データと呼ぶ。
【００６５】
（省電力放送受信・録画部１３）
省電力放送受信・録画部１３は、映像コンテンツを記録する際の消費電力を抑制可能な構成を備えている。省電力放送受信・録画部１３は、たとえば１セグメントチューナーと、メモリ１４とを備えている。メモリ１４は、記憶部１２と比較して消費電力の少ない不揮発性メモリである。たとえば、メモリ１４としてフラッシュメモリを用いることができる。以下において、省電力放送受信・録画部１３において録画される映像データを第２の映像データと呼ぶ。
【００６６】
省電力放送受信・録画部１３は、ループ録画および通常録画を行う。そのために、メモリ１４は、ループ録画用の記憶領域と、通常録画用の記憶領域とを、それぞれ別個に備えている。
【００６７】
ループ録画とは、受け取った映像データを、所定のサイズまたは所定の期間毎に上書き録画する録画方法のことを意味する。当該所定の期間を、以下においてはループ録画期間と呼ぶ。たとえばループ録画は、ループ録画用の記憶領域をリングバッファとして扱うことによって実現できる。
【００６８】
ループ録画用の記憶領域のサイズは、任意のサイズに設定することができる。しかし、後の再生および統合に係る処理を考慮すると、当該記憶領域のサイズは、第２の映像データを１０〜２０秒間にわたって録画可能なサイズであることがより好ましい。
【００６９】
なお、受け取った映像データを、上書きすることなく通常の態様にて録画する録画方法を、以下においては通常録画と呼ぶ。
【００７０】
制御部１５からの制御信号によって省電力放送受信・録画部１３が、第２の映像データの録画方法をループ録画から通常録画へ切り替えると、第２の映像データは通常録画用の記憶領域に録画されていく。映像装置１０は、第２の映像データを通常録画することによって、商用電源５０から電力が供給されない状況においても映像コンテンツを録画することができる。商用電源５０から電力が供給されない状況が長時間続くとすると、通常録画用の記憶領域のサイズは大きいことがより好ましい。
【００７１】
商用電源５０に異常が検知されない場合の録画手段としてループ録画を採用することによって、メモリ１４が有する記憶容量のうち多くの部分を通常録画用、すなわち、商用電源５０に異常が検知されている場合の録画用に用いることができる。
【００７２】
録画処理に際して、第２の映像データを常に通常録画しておく場合と比較して、第２の映像データをループ録画することによってメモリ１４のサイズを小さく設計することができる。すわなち、メモリ１４のコストを抑制することができる。
【００７３】
制御部１５は、録画装置１０が備える各部分の動作を制御する部分である。ユーザは、映像コンテンツの録画、再生、および、録画予約などに代表される録画装置１０の操作を、リモコン（遠隔操作装置）４０を介して行う。
【００７４】
（リモコン４０）
リモコン４０は、ユーザの操作に対応する操作信号を出力する。録画装置１０が備える赤外線受光部２４は、当該操作信号を制御部１５へ入力する。制御部１５は、赤外線受光部２４から入力される操作信号に応じて、高画質放送受信・録画部１１、省電力放送受信・録画部１３、復号部１９、再生部２０、統合部２１、および、ＯＳＤ処理部の各部に制御信号を供給し制御する。なお、ユーザは、録画装置１０の操作をリモコン４０を介して行うのみならず、録画装置１０が備える操作パネル（図示せず）を介して行うこともできる。
【００７５】
ユーザは、リモコン４０を用いて、録画したい映像コンテンツが放送されるチャンネル（以下、ユーザ選択チャンネルと呼ぶ）を選択する。リモコン４０は、ユーザ選択チャンネルを操作信号として出力する。当該操作信号は、赤外線受光部２４を介して制御部１５に供給される。
【００７６】
制御部１５は、高画質放送受信・録画部１１に対して制御信号を供給し、フルセグメントチューナーがユーザ選択チャンネルを選択するように制御する。同様に、制御部１５は、省電力放送受信・録画部１３に対して制御信号を供給し、１セグメントチューナーがユーザ選択チャンネルを選択するように制御する。したがって、フルセグメントチューナーおよび１セグメントチューナーが選択しているチャンネルは、同一チャンネルである。
【００７７】
復号部１９は、高画質放送受信・録画部１１が録画する第１の映像データ、および、省電力放送受信・録画部１３が録画する第２の映像データを、復号する部分である。復号部１９は、制御部１５から供給される制御信号を受けて、第１の映像データおよび第２の映像データを復号する。復号部１９によって復号された第１の映像データおよび第２の映像データは、再生部２０または統合部２１に供給される。
【００７８】
再生部２０は、制御部１５から供給される制御信号を受けて、再生対象の映像データを第１の映像データから第２の映像データへ、または、第２の映像データから第１の映像データへ切り替える。この切り替えの際、再生部２０は、同期が取れたフレームにおいて、第１の映像データから第２の映像データへ、または、第２の映像データから第１の映像データへ再生対象の映像データを切り替える。また、再生部２０は、再生対象の映像データを映像処理部２２に供給する。
【００７９】
統合部２１は、制御部１５から供給される制御信号を受けて、第１の映像データおよび第２の映像データを１つの映像データに統合する部分である。この際、統合部２１は、同期が取れたフレームにおいて、第１の映像データから第２の映像データへ、または、第２の映像データから第１の映像データへ映像データが変わるように、第１の映像データおよび第２の映像データを統合する。統合された映像データは、制御部１５からの指示により、高画質放送受信・録画部１１が備える記録部１２に記録される。
【００８０】
ＯＳＤ処理部２３は、制御部１５から供給される制御信号を受けて、上述した映像データの再生、または、統合に際して、ユーザの意志を確認するための確認画面を、ＯＳＤ表示する。ＯＳＤ処理部２３は、制御部１５から受ける制御信号に従いＯＳＤ表示用画像データを映像処理部２２に供給する。
【００８１】
映像処理部２２は、再生部２０から供給される再生対象の映像データを、画像表示装置６０が表示可能な形式に変換して画像表示装置６０に供給する。ＯＳＤ処理部２３からＯＳＤ表示用画像データを供給された場合には、当該ＯＳＤ表示用画像データを再生対象の映像データと共に、画像表示装置６０に供給する。
【００８２】
画像表示装置６０は、映像処理部２２から供給される映像データを表示する。画像表示装置６０としては、例えば液晶ディスプレイ（ＬＣＤ）を好適に用いることができる。また、プラズマディスプレイ、有機ＥＬディスプレイなどを画像表示装置６０として用いてもよい。
【００８３】
本実施形態において、録画装置１０と画像表示装置６０とは別個の装置である。しかし、本発明の一実施形態において、画像表示装置６０が録画装置１０を備えるテレビジョン受像器であってもよい。
【００８４】
（録画処理の流れ）
録画装置１０を用いて映像データを録画する録画処理の具体的な流れを、図２に示すフローチャートを参照しながら説明する。
【００８５】
（Ｓ１０１）
商用電源５０から録画装置１０に電力が供給されている場合、交流／直流変換部１７によって交流から直流に変換された電流は、高画質放送受信・録画部１１、省電力放送受信・録画部１３、および制御部１５のみならず二次電池１８にも供給され、二次電池１８を充電する。
【００８６】
（Ｓ１０２）
次に、ユーザがリモコン４０に設けられている録画ボタンを押下することによって、選択されているチャンネルの録画が開始される。録画開始の制御信号をリモコン４０より受信した制御部１５は、高画質放送受信・録画部１１、および、省電力放送受信・録画部１３に、録画を開始するための制御信号を供給する。
【００８７】
なお、録画開始は、ユーザがリモコン４０に設けられている録画ボタンを押下すること以外によっても実行することができる。たとえば、ユーザは、ＥＰＧ(electric program guide)番組表を閲覧し、所望の映像コンテンツを選択することによって録画予約を行うことができる。このように、録画予約をしておくことによって、予約された日時になったときに制御部１５は、高画質放送受信・録画部１１、および、省電力放送受信・録画部１３に、録画を開始するための制御信号を供給することができる。
【００８８】
（Ｓ１０３）
録画開始の制御信号を受けて、高画質放送受信・録画部１１は選択されているチャンネルの映像データを、フルセグメントチューナーによって受信すると共に、受信した映像データを記録部１２に録画する。
【００８９】
一方、省電力放送受信・録画部１３は、録画開始の制御信号を受けて、選択されているチャンネルの映像データを、１セグメントチューナーによって受信すると共に、受信した映像データをメモリ１４にループ録画する。
【００９０】
（Ｓ１０４）
第１の映像データおよび第２の映像データの録画が開始されると、異常検出部１６は、商用電源５０から供給される電力が異常な状態にあるか否かを監視する。具体的には、異常検出部１６は、商用電源５０の電圧値Ｖｉｎを測定し、参照電圧Ｖｒｅｆと比較する。その比較の結果、ＶｉｎがＶｒｅｆの範囲内に含まれていなければ商用電源５０は異常、と判定する。すなわち、異常検出部１６は商用電源５０の異常を検知する。
【００９１】
異常検出部１６が商用電源５０の異常を検知しない場合、省電力放送受信・録画部１１は、第１の映像データの録画を続け、省電力放送受信・録画部１３は、第２映像データのループ録画を続ける。
【００９２】
（Ｓ１０５）
異常検出部１６が商用電源５０の異常を検知した場合、二次電池１８は、省電力放送受信・録画部１３に電力を供給する。これにより、第２の映像データの録画が継続される。この際、制御部１５は、省電力放送受信・録画部１３に対して、第２の映像データの録画方法をループ録画から通常録画へ切り替えるための制御信号を送る。言い換えると、省電力放送受信・録画部１３は、異常検出部１６が商用電源５０の異常を検知することに伴って、第２の映像データの録画方法をループ録画から通常録画に切り替えるように制御される。
【００９３】
異常検出部１６が商用電源の異常を検知した場合、制御部１５は、高画質放送受信・録画部１１に対して第１の映像データの録画を安全に停止するための制御信号を出力する。高画質放送受信・録画部１１は当該制御信号を受けて、第１の映像データの録画を停止し、当該第１の映像データにデータファイルを識別するためのトラックナンバー、または、ファイル名称を与える。
【００９４】
（Ｓ１０６）
異常検出部１６は、商用電源５０の異常を検知した後も、商用電源５０に異常が生じ続けているのか、または、正常な電圧に復旧しているのかを監視する。この際、商用電源５０の電圧値Ｖｉｎを測定する頻度は、二次電池１８の消耗を抑制しつつ、商用電源５０が異常な状態から復旧したことを的確に検知することができるよう適宜設定しておけばよい。
【００９５】
なお、商用電源５０が変わらず異常な場合は、引き続き省電力放送受信・録画部１３による第２の映像データの通常録画を継続する。
（Ｓ１０７）
商用電源５０が正常な状態に復旧した場合、高画質放送受信・録画部１１、および、省電力放送受信・録画部１３に、交流／直流変換部１７から電力を供給する。それと同時に、二次電池１８から省電力放送受信・録画部１３に供給していた電力を停止する。
【００９６】
制御部１５は、高画質放送受信・録画部１１を起動する。次いで、制御部１５は、高画質放送受信・録画部１１に対して、第１の映像データを再び録画するための制御信号を出力する。したがって、高画質放送受信・録画部１１は、第１の映像データの録画を再開する。
【００９７】
第１の映像データの録画が再開されてから所定の時間経過したのち、制御部１５は、省電力放送受信・録画部１３に第２の映像データの通常録画を停止させる。通常録画を停止された第２の映像データは、通常録画が開始される前のループ録画期間に録画された第２の映像データを含んでいる。高画質放送受信・録画部１１は、当該第２の映像データに、トラックナンバーまたはファイル名称を与える。
【００９８】
この時、省電力放送受信・録画部１３は、第２の映像データの通常録画を停止すると共に、第２の映像データのループ録画を再開する。第２の映像データのループ録画を再開しておくことによって、録画装置１０は、再び商用電源５０に異常が生じた場合に備えることができる。
【００９９】
（Ｓ１０８）
録画している映像コンテンツを閲覧しているユーザが、録画の終了を希望する場合、当該ユーザはリモコン４０に設けられている録画停止ボタンを押圧する。このことによって、録画停止の操作信号が赤外線受光部２４を介して制御部１５に供給される。
【０１００】
制御部１５は、高画質放送受信・録画部１１に対して、第１の映像データの録画を停止する制御信号を供給する。高画質放送受信・録画部１１は、当該制御信号を受けて、第１の映像データの録画を停止する。同時に、高画質放送受信・録画部１１は、録画を停止した第１の映像データに対してトラックナンバー、または、ファイル名称を付与する。
【０１０１】
制御部１５は、さらに、省電力放送受信・録画部１３に対して、第２の映像データのループ録画を停止する制御信号を供給する。省電力放送受信・録画部１３は、当該制御信号を受けて、第２の映像データのループ録画を停止する。
【０１０２】
一方、ユーザが行った録画予約にしたがって映像コンテンツの録画が行われていた場合、録画予約の終了時間に、制御部１５は高画質放送受信・録画部１１に対して、第１の映像データの録画を停止する制御信号を供給する。その後の、高画質放送受信・録画部１１、および、省電力放送受信・録画部１３の動作に関しては、ユーザの意志によって録画停止の操作信号が制御部１５に供給された場合と同様である。
【０１０３】
（Ｓ１０９）
ユーザの意志によって録画停止の操作信号が制御部１５に供給された場合、制御部１５は、（１）録画中に商用電源５０に異常が生じたこと、（２）その結果、録画されている映像データが、第１の映像データおよび第２の映像データに分かれていること、の２点を通知する。さらに、ユーザが、第１の映像データおよび第２の映像データを統合する意志を有しているかを確認する。
【０１０４】
上記の通知および確認をするために、制御部１５は、確認画面（図３参照）をＯＳＤ処理部２３を介して映像処理部２２に出力する。映像処理部２２は、上記確認画面を画像表示装置６０に出力し、ユーザの意志を確認する。
【０１０５】
録画予約の内容に従って、制御部１５が映像コンテンツの録画を停止した場合は、制御部１５は、ユーザが録画された当該コンテンツを再生する際に、上記確認画面（図３参照）をＯＳＤ処理部２３を介して映像処理部２２に出力すればよい。
【０１０６】
ユーザが上記確認画面に対して「いいえ」を選択した場合、制御部１５は一連の録画処理を終了する。
【０１０７】
（Ｓ１１０）
一方、ユーザが上記確認画面に対して「はい」を選択した場合、制御部１５は、第１の映像データおよび第２の映像データを１つのファイルに統合する制御信号を、統合部２１に供給する。なお、第１の映像データおよび第２の映像データを統合する処理については後述する。
【０１０８】
第１の映像データおよび第２の映像データの統合処理が終了した後に、制御部１５は一連の録画処理を終了する。
【０１０９】
（再生処理）
再生部２０は、第１の映像データおよび第２の映像データを切り替えながら再生する再生処理を行う。この再生処理について、第１の映像データおよび第２の映像データにおける時間的な重なりを示す概念図である図４を参照しながら説明する。
【０１１０】
（第１の映像データから第２の映像データへの切り替え）
図４において、異常検出部１６が商用電源５０の異常を検知するまでに、高画質放送受信・録画部１１が録画していた第１の映像データを、第１の映像データ６１ａで示す。
【０１１１】
第２の映像データ６２において、第１の映像データ６１ａに重複する期間が、第２の映像データ６２のループ録画期間である。異常検出部１６が商用電源５０の異常を検知すると、制御部１５は、第１の映像データ６１ａの録画を終了させると共に、第２の映像データ６２をループ録画から通常録画に切り替えるよう省電力放送受信・録画部１３を制御する。
【０１１２】
図４に示すように、第１の映像データ６１ａと、第２の映像データ６２とに重複する録画期間が存在する。したがって、録画装置１０は、商用電源５０に異常が生じた場合であっても、ストリームデータとして伝送される映像コンテンツを欠落部分が生じさせることなく録画することができる。
【０１１３】
本実施形態において、ループ録画期間は１０〜２０秒の範囲に設定している。したがって、第１の映像データ６１ａと、第２の映像データ６２との重複期間は１０〜２０秒間である。
【０１１４】
再生部２０は、再生処理をする際に、この重複期間内であって、第１の映像データ６１ａと、第２の映像データ６２との間で同期がとれたフレームにおいて、第１の映像データ６１ａと、第２の映像データ６２とを切り替える。再生部２０がこのような再生処理を行うことによって、ストリームデータとして伝送された映像コンテンツを、商用電源５０に異常が生じた場合であっても、欠落部分が生じることなく再生することができる。
【０１１５】
なお、同期フレームの特定処理については、図５を参照しながら後述する。
【０１１６】
（第２の映像データから第１の映像データへの切り替え）
図４において、第２の映像データ６２のみが録画されている期間が、商用電源５０に異常が生じていた期間である。やがて、商用電源５０の異常が解消されると、異常検出部１６はそのことを検知する。制御部１５は、高画質放送受信・録画部１１に対して、第１の映像データの録画を再開するための制御信号を供給する。高画質放送受信・録画部１１が第１の映像データの録画を再開した結果、録画された映像データが第１の映像データ６１ｂである。
【０１１７】
第１の映像データ６１ｂの録画が再開されてから所定の時間経過したのち、制御部１５は、第２の映像データ６２を録画方式を通常録画からループ録画に切り替えるよう省電力放送受信・録画部１３を制御する（Ｓ１０７参照）。本実施形態において、当該所定の時間は１０〜２０秒の範囲である。したがって、第２の映像データ６２と、第１の映像データ６１ｂとの重複期間も１０〜２０秒間である。
【０１１８】
再生部２０が再生処理をする際、この重複期間内であって、第２の映像データ６２と、第１の映像データ６１ｂとの間で同期がとれたフレームにおいて、再生する映像データを、第２の映像データ６２から第１の映像データ６１ｂへ切り替えればよい。
【０１１９】
図４に示す映像データ６３は、再生部２０が制御部１５からの制御信号に基づいて再生処理を行った結果として、再生された映像データを表している。図４に示すように、再生部２０が上述の再生処理を行うことによって、ストリームデータとして伝送された映像コンテンツを欠落部分が生じることなく再生することができる。
【０１２０】
（同期フレーム特定処理）
以下では、図５を参照して、再生部２０によって行われる同期フレーム特定処理について具体的に説明を行う。
【０１２１】
図５（ａ）は、第１の映像データから第２の映像データに切り替えるタイミングを示す概略図である。図５（ｂ）は、第２の映像データから第１の映像データに切り替えるタイミングを示す概略図である。
【０１２２】
第１の映像データ６１ａから第２の映像データ６２へ映像データを切り替える際、再生部２０は、第１の映像データ６１ａ、および、第２の映像データ６２において、同期をとるフレームを特定する同期フレーム特定処理を行い、特定したフレーム（境界フレーム）から、再生対象の映像データを、第１の映像データ６１ａから第２の映像データ６２へと切り替える。
【０１２３】
図５（ａ）において、異常検出部１６が商用電源５０の異常を検知し、制御部１５からの制御信号にしたがって高画質放送受信・録画部１１が第１の映像データ６１ａの録画を停止させたタイミングを停止タイミングと表記している。
【０１２４】
制御部１５は、停止タイミングにおいて、第２の映像データ６２の録画方法をループ録画から通常録画に切り替えるように省電力放送受信・録画部１３を制御する。図５（ａ）に示すように、第２の映像データ６２において、停止タイミング以前の期間は、ループ録画によって録画されていた期間（ループ録画期間）である。
【０１２５】
制御部１５は、第２の映像データ６２において、停止タイミングよりも前、すなわちループ録画期間内であって、さらに、停止タイミングに最も近いタイムスタンプを有するキーフレームを復号開始点として特定する。図５（ａ）においては、このキーフレームをＫＦ１と表記する。ここで、キーフレームとは、映像データを復号する復号処理の際に、他のフレームを参照することなく復号できるフレームのことである。キーフレームは、ＩピクチャまたはＩフレームと呼ばれることもある。
【０１２６】
復号部１９は、制御部１５からの制御信号にしたがって、キーフレームＫＦ１から第２の映像データ６２の復号処理を行い、復号された第２の映像データ６２を再生部２０に供給する。再生部２０は、既に復号済の第１の映像データ６１ａに埋め込まれている第１のタイムスタンプと、復号部１９から供給された第２の映像データ６２に埋め込まれている第２のタイムスタンプとを比較参照する。再生部２０は、第１のタイムスタンプおよび第２のタイムスタンプとにおいて一致したフレーム、すなわち同期がとれたフレームが存在した場合、そのフレームを同期フレーム（境界フレーム）として特定する。図５（ａ）においては、当該同期フレームをＳＦ１２と表記している。
【０１２７】
再生部２０は、再生映像データを同期フレームＳＦ１２において、再生対象の映像データを、第１の映像データ６１ａから第２の映像データ６２へ切り替える。したがって、ストリームデータとして伝送された映像コンテンツを欠落部分が生じることなく再生することができる。
【０１２８】
再生部２０は、第１の映像データ６１ａから第２の映像データ６２へ再生する映像データを切り替える際に、第１の映像データ６１ａに含まれる同期フレームＳＦ１２、および、第２の映像データ６２に含まれる同期フレームＳＦ１２のいずれか一方を選択して再生することが好ましい。
【０１２９】
再生する映像データの画質を考慮すると、再生部２０は、第１の映像データ６１ａに含まれる同期フレームＳＦ１２を再生した後に、第２の映像データ６２に含まれる同期フレームＳＦ１２の次のフレームを再生することがより好ましい。
【０１３０】
なお、ループ録画期間内には複数のキーフレームが埋め込まれている。再生部２０は、ループ録画期間に含まれている任意のキーフレームを復号開始点として特定し、同期フレーム特定処理を行うことができる。ただし、第１の映像データ６１ａおよび第２の映像データ６２の画質を比較すると、第１の映像データ６１ａの方が優れている。ループ録画期間内であって、停止タイミングにより近いタイムスタンプを有する第２の映像データ６２のキーフレームを復号開始点として特定することにより、第１の映像データ６１ａが再生対象となる期間がより長くなる。このように、再生対象の映像データの画質の観点からは、ループ録画期間内であって、停止タイミングにより近いタイムスタンプを有する第２の映像データ６２キーフレームを復号開始点として特定することが、再生する映像データの画質の観点からは、より好ましい。
【０１３１】
ただし、キーフレームＫＦ１が停止タイミングに近い場合、キーフレームＫＦ１と停止タイミングとの間に、同期フレームＳＦ１２が存在しないことも考えられる。その場合、再生部２０は、停止タイミングに２番目に近いキーフレームを復号開始点として同期フレーム特定処理を行えばよい。
【０１３２】
続いて、第２の映像データ６２から第１の映像データ６１ａへ映像データを切り替える際の再生部２０による同期フレーム特定処理について、図５（ｂ）を参照しながら説明する。
【０１３３】
異常検出部１６が商用電源５０の異常を検知しなくなると、制御部１５からの制御信号に基づいて、高画質放送受信・録画部１１は起動し、第１の映像データ６１ｂの録画を再開する。図５（ｂ）において、このタイミングを起動タイミングと表記している。
【０１３４】
再生部２０は、第１の映像データ６１ｂにおいて、起動タイミングよりも後、すなわち図５（ｂ）に示される所定の期間内であって、さらに起動タイミングに最も近いタイムスタンプを有するキーフレームＫＦ２を復号開始点として特定する。
【０１３５】
復号部１９は、キーフレームＫＦ２から第１の映像データ６１ｂの復号処理を開始し、復号した第１の映像データ６１ｂを再生部２０に供給する。再生部２０は、第１の映像データ６１ｂに埋め込まれている第１のタイムスタンプと、既に復号済の第２の映像データ６２に埋め込まれている第２のタイムスタンプとを比較参照する。その結果、再生部２０は、第１のタイムスタンプと、第２のタイムスタンプとが互いに一致したフレーム、すなわち同期がとれたフレームを同期フレームと特定する。図５（ｂ）において、同期フレームはＳＦ２１と表記されている。
【０１３６】
再生部２０は、再生映像データを同期フレームＳＦ２１において、第２の映像データ６２から第１の映像データ６１ｂへ切り替える。これにより、ストリームデータをして伝送された映像コンテンツを欠落部分が生じることなく再生することができる。
【０１３７】
再生部２０は、第２の映像データ６２から第１の映像データ６１ｂへ再生する映像データを切り替える際に、第２の映像データ６２に含まれる同期フレームＳＦ２１、および、第１の映像データ６１ｂに含まれる同期フレームＳＦ２１のいずれか一方を選択して再生することが好ましい。
【０１３８】
再生する映像データの画質を考慮すると、再生部２０は、第２の映像データ６２に含まれる同期フレームＳＦ２１の前のフレームを再生した後に、第１の映像データ６１ｂに含まれる同期フレームＳＦ２１を再生することがより好ましい。
【０１３９】
なお、高画質放送受信・録画部１１は、起動してから第１の映像データ６１ｂの録画を再開するまでに、一定の時間を要することもある。この場合、起動タイミングと、第１の映像データ６１ｂの録画が再開されるタイミングは一致せず、各タイミングの間にはタイムラグが生じる。タイムラグが長いと、キーフレームＫＦ２が、タイムラグ内に含まれる場合が考えられる。この場合、再生部２０は、第１の映像データ６１ｂの録画が再開されるタイミングより後であって、かつ、第１の映像データ６１ｂの録画が再開されるタイミングに最も近いタイムスタンプを有するキーフレームＫＦ２を復号開始点として特定すればよい。
【０１４０】
（統合処理）
図２に示すフローチャートのＳ１０９において、ユーザが、図３に示す確認画面の「はい」を選択した場合、言い換えると、ユーザが、第１の映像データおよび第２の映像データを統合する旨を指示した場合、統合部２１は、制御部１５からの制御信号にしたがって、第１の映像データ６１ａ、第２の映像データ６２および第１の映像データ６１ｂを１つの映像データに統合する統合処理を行う。
【０１４１】
統合部２１は、同期フレーム特定処理を行うことによって、第１の映像データ６１ａと、第２の映像データ６２とにおける同期フレームＳＦ１２（第１の境界フレーム）を特定する。当該同期フレーム特定処理は、再生部２０が行う同期フレーム特定処理と同様の処理である。
【０１４２】
統合部２１は、ＳＦ１２以降のフレームをキーフレームに設定し、該キーフレームを基準フレームとして参照する符号化処理を行うことによって、ＳＦ１２から次のキーフレーム（ＫＦ１’）までの第２の映像データ６２を再符号化処理する。
【０１４３】
統合部２１がこのような処理を行うことによって、図５（ａ）に示すキーフレームＫＦ１を参照することなく、第２の映像データ６２を復号することができる。また、統合部２１は、第２の映像データ６２と、第１の映像データ６１ｂとを統合する際にも同期フレーム特定処理を行い同期フレームＳＦ２１（第２の境界フレーム）を特定する。さらに、ＳＦ２１から次のキーフレーム（ＫＦ２’）までの第１の映像データ６１ｂを再符号化処理する。
【０１４４】
統合部２１がこのような処理を行うことによって、図５（ｂ）に示すキーフレームＫＦ２を参照することなく、第１の映像データ６１ｂを復号することができる。
【０１４５】
統合部２１は、ＳＦ１２までの第１の映像データ６１ａ、ＳＦ１２からキーフレームＫＦ１’までの再符号化された第２の映像データ６２、上記キーフレームＫＦ１’からＳＦ２１までの第２の映像データ６２、ＳＦ２１からフレームＫＦ２’までの再符号化された第１の映像データ６１ｂ、および、フレームＫＦ２’からの第１の映像データ６１ｂを統合することによって、１つの映像データを生成する。統合部２１は、統合後の映像データを記録部１２に記録する。統合部２１により統合された映像データは、欠落部分のない映像データである。
【０１４６】
なお、映像データの画質の観点から、統合部１９は、第１の映像データ６１ａと、第２の映像データ６２とを統合する際に、第１の映像データ６１ａに含まれる同期フレームＳＦ１２を選択して統合することがより好ましい。同様に、統合部１９は、第２の映像データ６２と、第１の映像データ６１ｂとを統合する際に、第１の映像データ６１ｂに含まれる同期フレームＳＦ２１を選択して統合することがより好ましい。
【０１４７】
（再生処理の流れ）
図２に示すフローチャートに従って録画された映像データを再生する再生処理の具体的な流れを、図６に示すフローチャートを参照しながら説明する。
【０１４８】
（Ｓ２０１）
ユーザは、リモコン４０を操作することによって、録画装置１０に録画されている映像データの中から再生したい映像データを選択する。リモコン４０は、当該操作に対応する操作信号を、赤外線受光部２４を介して制御部１５に出力する。
【０１４９】
（Ｓ２０２）
高画質放送受信・録画部１１は、制御部１５から供給される制御信号にしたがって、高画質放送受信・録画部１１によって録画された高画質な映像データ（第１の映像データ６１ａ）を復号部１９を介して再生部２０に供給する。再生部２０は、復号部１９から供給された復号済の第１の映像データ６１ａを、映像処理部２２を介して画像表示装置６０に表示する。
【０１５０】
（Ｓ２０３）
再生部２０は、第１の映像データ６１ａの再生をつづけ、図５（ａ）に示す停止タイミングに到達する。
【０１５１】
（Ｓ２０４）
制御部１５は、ユーザに対して、再生している映像データが高画質録画部（第１の映像データ）および低画質録画部（第２の映像データ）に分かれて録画されていることを通知する通知処理を行う。さらに、停止タイミング以降の映像データを続けて再生するか否かを確認する確認処理を行う。
【０１５２】
上記の通知処理および確認処理は、制御部１５からの制御信号にしたがって、ＯＳＤ処理部２３が映像処理部２２を介して、例えば、図７に示す確認画面を表示することによって行われる。
【０１５３】
（Ｓ２０５）
上記確認画面を見たユーザが、「いいえ」を選択した場合（Ｓ２０４でＮｏ）、制御部１５は映像データを再生する再生処理を停止するように再生部２０を制御する。
【０１５４】
（Ｓ２０６）
上記確認画面を見たユーザが、「はい」を選択した場合（Ｓ２０４でＹｅｓ）、制御部１５は、省電力放送受信・録画部１３によって録画された低画質な映像データ（第２の映像データ６２）を再生するように再生部２０を制御する。
【０１５５】
（Ｓ２０７）
再生部２０は、第２の映像データ６２の再生をつづけ、図５（ｂ）に示す通常録画終了点に近づく。再生部２０は、あらかじめ第２の映像データ６２と、第１の映像データ６１ｂとの同期フレームＳＦ２１を特定しておく。再生部２０は、再生する映像データを同期フレームＳＦ２１において、第２の映像データ６２から、第１の映像データ６１ｂへ切り替える。
【０１５６】
（Ｓ２０８）
再生部２０は、商用電源５０の異常が解消された後に録画された２つ目の高画質映像データ（第１の映像データ６１ｂ）を再生する。
【０１５７】
（Ｓ２０９）
制御部１５は、第１の映像データ６１ｂの最後まで再生した後に再生処理を終了するように再生部２０を制御する。
【０１５８】
（映像コンテンツの変形例）
ストリームデータとして伝送される映像コンテンツは、デジタル放送信号によって伝送されるテレビジョン番組に限られず、インターネットを経由して配信される映像コンテンツでもよい。
【０１５９】
インターネットを経由して配信される映像コンテンツは、同一の映像コンテンツにおいて、複数の解像度の映像音声データが配信されていることが多い。録画装置１０は、インターネットを経由して配信される映像コンテンツのうち、高い解像度を有する映像音声データを高画質放送受信・録画部１１によって録画すると共に、低い解像度を有する映像音声データを省電力放送受信・録画部１３によって録画する構成であってもよい。
【０１６０】
（省電力放送受信・録画部１３の変形例１）
上記の説明では、省電力放送受信・録画部１３が１セグメントチューナーを備える構成を例に挙げたが、省電力放送受信・録画部１３の構成は、上記の例に限定されるものではない。
【０１６１】
例えば、省電力放送受信・録画部１３は、高画質放送受信・録画部１１と略同様の構成、すなわち、フルセグメントチューナーを備える構成としてもよい。この場合、当該フルセグメントチューナーを構成するハードウェアのうち一部のハードウェアを用いることによって、当該フルセグメントチューナーを１セグメントチューナーとして機能させればよい。
【０１６２】
このことによって、省電力放送受信・録画部１３は、１セグメントチューナーとして使用しない回路ブロックへの給電をカットできる。すなわち、省電力放送受信・録画部１３は消費電力を抑制できる。
【０１６３】
省電力放送受信・録画部１３は、第２の映像データを録画する記録部としてＨＤを備えていてもよい。この場合は、ＨＤの回転数を落とすことによって、記録部の消費電力を抑制することができる。
【０１６４】
（省電力放送受信・録画部１３の変形例２）
また、省電力放送受信・録画部１３を、高画質放送受信・録画部１１と略同様の構成とし、制御部１５が、省電力放送受信・録画部１３を動作させる動作クロック周波数を、高画質放送受信・録画部１１の動作クロック周波数より低い周波数に制御する構成としてもよい。
【０１６５】
このことによって、省電力放送受信・録画部１３は、高画質放送受信・録画部１１よりも低いビットレートのストリームデータを記録することができる。すなわち、省電力放送受信・録画部１３の消費電力を抑制できる。その結果、省電力放送受信・録画部１３は、二次電池１８から供給される電力によって第２の映像データを録画することができる。
【０１６６】
（付記事項）
上述した録画装置１０の各ブロックは、集積回路（ＩＣチップ）上に形成された論理回路によってハードウェア的に実現してもよいし、ＣＰＵ（Central Processing Unit）を用いてソフトウェア的に実現してもよい。
【０１６７】
後者の場合、上記装置は、各機能を実現するプログラムの命令を実行するＣＰＵ、上記プログラムを格納したＲＯＭ（Read Only Memory）、上記プログラムを展開するＲＡＭ（Random Access Memory）、上記プログラム及び各種データを格納するメモリ等の記憶装置（記録媒体）などを備えている。そして、本発明の目的は、上述した機能を実現するソフトウェアである上記各装置の制御プログラムのプログラムコード（実行形式プログラム、中間コードプログラム、ソースプログラム）をコンピュータ読み取り可能に記録した記録媒体を、上記装置に供給し、そのコンピュータ（またはＣＰＵやＭＰＵ）が記録媒体に記録されているプログラムコードを読み出し実行することによっても、達成可能である。
【０１６８】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１６９】
また、上記各装置を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０１７０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１７１】
本発明は、映像コンテンツを録画する録画装置として、好適に適用することができる。
【符号の説明】
【０１７２】
１０    録画装置
１１    高画質放送受信・録画部
１２    記録部
１３    省電力放送受信・録画部
１４    メモリ
１５    制御部（制御手段）
１６    異常検出部（異常検出手段）
１７    交流／直流変換部
１８    二次電池
１９    復号部（復号手段）
２０    再生部（再生手段）
２１    統合部
２２    映像処理部
２３    ＯＳＤ処理部
２４    赤外線受光部
３０    アンテナ
４０    リモコン
５０    商用電源
６０    画像表示装置
【図１】
2013118601.tif 000003
【図２】
2013118601.tif 000004
【図３】
2013118601.tif 000005
【図４】
2013118601.tif 000006
【図５】
2013118601.tif 000007
【図６】
2013118601.tif 000008
【図７】
2013118601.tif 000009